(57)【要約】【課題】石綿を含む粉塵が発生する作業を行うための局所排気機能付き作業台装置であって、作業をする場所を適切な吸引力で局所排気し、作業を行わない場所からは吸引しない、局所排気機能付き作業台装置を提供する。【解決手段】作業台２の上部に配置された天板２０の略全面に開口があり、天板の上で行われた作業に伴って発生する粉塵を、開口から空気と共に吸入する。作業を行わない天板２０の下は蓋材で塞ぐ。さらに、作業を行わない部分のホッパー４０〜４２に接続されたダンパー５０は閉鎖する。粉塵と共に吸入した空気は、集塵機４で吸入し、フィルターで粉塵を濾過して、ダクト３００を通じて屋外に排出する。【選択図】図１
0003218939.tif 000002
【実用新案登録請求の範囲】
【請求項１】
作業台の上部に、空気を吸引する複数の開口を有し、その上で作業を行う天板と、
前記天板の下に配置され、前記天板の前記開口から吸引した空気を集合させるホッパーと、
前記天板と前記ホッパーとの間、又は前記天板の上の、作業を行わない領域に配置され、前記天板から前記ホッパーへの空気の流れを遮断する蓋材と、
各前記ホッパーからの空気を集合する集合管と、
各前記ホッパーから各前記集合管への流路中に配置され、各前記ホッパーからの空気を遮断できるダンパーと、
を有する、
局所排気機能付き作業台装置。
【請求項２】
前記集合管又は前記流路を形成する配管は、透明部を有する、
請求項１に記載の局所排気機能付き作業台装置。
【請求項３】
各前記ホッパーで集合した空気を送り出す各円筒管の上端は、各前記ホッパーの内部底面よりも上にある、
請求項１又は２に記載の局所排気機能付き作業台装置。
【請求項４】
前記円筒管の上に、屋根部材が配置されている、
請求項３に記載の局所排気機能付き作業台装置。
【請求項５】
前記天板が有する前記開口は、直径１〜５ミリメートルの円形である、
請求項１から４のいずれか１項に記載の局所排気機能付き作業台装置。
【請求項６】
前記蓋材が配置された領域と蓋材の配置されていない領域とで、天板の高さは等しい、
請求項１から５のいずれか１項に記載の局所排気機能付き作業台装置。
【請求項７】
前記集合管の下流側端部に連結され、前記集合管に流れる空気を吸引し、空気中の粉塵を捕集し、粉塵を除外した空気を排出する集塵機を、
さらに備える、
請求項１から６のいずれか１項に記載の局所排気機能付き作業台装置。
【請求項８】
前記集塵機の内部に配されたフィルターを点検できる点検扉と、
前記集塵機の内部に配され、前記フィルターに捕集された粉塵を保持する粉塵受けと、
前記フィルターを通過した空気からさらに粉塵を除去するＨＥＰＡフィルターと、
前記ＨＥＰＡフィルターを逆洗する機構と、
をさらに備える、
請求項７に記載の局所排気機能付き作業台装置。
【考案の詳細な説明】
【技術分野】
【０００１】
本考案は、局所排気機能付き作業台装置に関する。
【背景技術】
【０００２】
石綿を含む粉塵が発生する作業を行う場合は、局所排気機能を有する装置を設けることが、法令によって義務付けられている。法令によれば、局所排気するためのフードは粉塵の発生源ごとに設けられ、発生源にできるだけ近い位置に設けなければならない、とされている。
【０００３】
粉塵の発生源からできるだけ近い位置で排気するための装置として、例えば、特許文献１には、半田付け作業などの際に、煙や粉塵を、作業台の表面に開けた穴から吸引する作業台装置が開示されている。また、特許文献２には、研磨／研削作業によって発生する粉塵を、作業台の表面から吸引する装置が開示されている。
【先行技術文献】
【特許文献】
【０００４】
【特許文献１】特開２００３―１７０３７２号公報
【特許文献２】特開２００９―０７８３０７号公報
【考案の概要】
【考案が解決しようとする課題】
【０００５】
特許文献１に開示された作業台装置は、作業台部の表面の一部に空気吸入部を有するものである。そのため、粉塵を吸入するのは当該空気吸入部の近傍であり、空気吸入部から離れた場所での作業では、粉塵の吸入能力が弱いという課題がある。
【０００６】
また、特許文献２に開示されたテーブル装置は、作業面の略全ての空気吸入部から粉塵を吸入できるが、作業を行わない場所からも無駄な空気吸入を行っているという課題がある。
【０００７】
本考案は、上記実状に鑑みて成されたものであり、石綿を含む粉塵が発生する作業を行うための局所排気機能付き作業台装置であって、作業をする場所を適切な吸引力で局所排気し、作業を行わない場所からは吸引しない、局所排気機能付き作業台装置を提供することを目的とする。
【課題を解決するための手段】
【０００８】
上記目的を達成するため本考案の局所排気機能付き作業台装置は、
作業台の上部に、空気を吸引する複数の開口を有し、その上で作業を行う天板と、前記天板の下に配置され、前記天板の前記開口から吸引した空気を集合させるホッパーと、前記天板と前記ホッパーとの間、又は前記天板の上の、作業を行わない領域に配置され、前記天板から前記ホッパーへの空気の流れを遮断する蓋材と、各前記ホッパーからの空気を集合する集合管と、各前記ホッパーから各前記集合管への流路中に配置され、各前記ホッパーからの空気を遮断できるダンパーと、を有する。
【０００９】
例えば本考案の局所排気機能付き作業台装置は、前記集合管又は前記流路を形成する配管は、透明部を有する。
【００１０】
例えば本考案の局所排気機能付き作業台装置は、各前記ホッパーで集合した空気を送り出す各円筒管の上端は、各前記ホッパーの内部底面よりも上にある。又、前記円筒管の上に、屋根部材が配置されている。
【００１１】
例えば本考案の局所排気機能付き作業台装置は、前記天板が有する前記開口は、直径１〜５ミリメートルの円形である。
【００１２】
例えば本考案の局所排気機能付き作業台装置は、前記蓋材が配置された領域と蓋材の配置されていない領域とで、天板の高さは等しい。
【００１３】
例えば本考案の局所排気機能付き作業台装置は、前記集合管の下流側端部に連結され、前記集合管に流れる空気を吸引し、空気中の粉塵を捕集し、粉塵を除外した空気を排出する集塵機を、さらに備える。
【００１４】
例えば本考案の局所排気機能付き作業台装置は、前記集塵機の内部に配されたフィルターを点検できる点検扉と、前記集塵機の内部に配され、前記フィルターに捕集された粉塵を保持する粉塵受けと、前記フィルターを通過した空気からさらに粉塵を除去するＨＥＰＡフィルターと、前記ＨＥＰＡフィルターを逆洗する機構と、をさらに備える。
【考案の効果】
【００１５】
本考案によれば、石綿を含む粉塵が発生する作業を行うための局所排気機能付き作業台装置であって、作業に必要な作業面の面積に応じて、作業面から空気を吸入する領域の面積を変更できる。このため、作業をする場所を適切な吸引力で局所排気し、作業を行わない場所からは実質的に吸引しない、局所排気機能付き作業台装置を提供できる。
【図面の簡単な説明】
【００１６】
【図１】本考案の実施の形態に係る局所排気機能付き作業台装置の斜視図である。
【図２】本考案の実施の形態に係る局所排気機能付き作業台装置の作業台の分解図である。
【図３】（Ａ）と（Ｂ）は、本考案の実施の形態に係る局所排気機能付き作業台装置の作業台のホッパー底部の部分断面図である。
【図４】本考案の実施の形態に係る局所排気機能付き作業台装置の天板及び蓋材の分解図である。
【図５】本考案の実施の形態に係る局所排気機能付き作業台装置の天板の平面図である。
【図６】本考案の実施の形態に係る局所排気機能付き作業台装置の集塵機の斜視図である。
【図７】（Ａ）、（Ｂ）、（Ｃ）は、それぞれ、本考案の実施の形態の変形例に係るホッパー部の模式図である。
【考案を実施するための形態】
【００１７】
（実施の形態１）
本考案の実施の形態１に係る局所排気機能付き作業台装置を、図面を参照しながら説明する。
【００１８】
作業台装置１は、図１に示すように、作業台２と、集塵機４と、作業台２と集塵機４を接続する接続管３と、を有する。まず、作業台２を説明する。作業台２は、図１及び図２に示すように、フレーム１０と、天板２０と、蓋材３０と、ホッパー４０〜４２と、ダンパー５０と、集合管６０〜８０、配管１５０〜１７０と、エルボー９０と、枝付きレデューサー１００、１１０と、を有する。
【００１９】
フレーム１０は、天板２０及び蓋材３０を支持する台であり、Ｌ型鋼を溶接して形成されている。フレーム１０は、図２に示すように、３つの枠体部を直列に連結して形成されている。フレーム１０の下部には、床への設置部材、例えばレベルアジャスター１１が配されている。フレーム１０の上面には、複数のピン３３が上へ突出して形成されている。ピン３３は、後述する天板２０及び蓋材３０をフレーム１０に配置するガイドとして機能し、また、天板２０を支持する支持部材として機能する。ピン３３の上面は、天板２０の下面を支持するために平坦に形成されている。フレーム１０の高さは、天板２０がフレーム１０の上面に配置されたときに、天板２０の上面が作業者にとって作業しやすい高さとなるように設定されており、さらに、レベルアジャスター１１によって微調整が可能である。
また、作業台装置１を移動可能とするために、レベルアジャスター１１と共に、又はレベルアジャスター１１に替えて、キャスターを配することもできる。
【００２０】
ホッパー４０〜４２は、各天板２０のほぼ全面からの空気を吸入して、配管１５０〜１７０に導く部材であり、図２に示すように、フレーム１０の３つの枠体部それぞれに配されている。ホッパー４０〜４２は、それぞれの枠体部の上部枠材の４辺それぞれから、各枠体部の中心に向かって下降する斜面を形成し、略中心部で、水平面を有する平板に接続されるように形成されている。当該平板の中央部を貫通するように、円筒管１２０〜１２２がそれぞれ溶接されている。
【００２１】
円筒管１２０〜１２２の上端は、図３（Ａ）に示すように、ホッパー４０〜４２の底面よりも突出しており、その突出高さｈは、ホッパー４０〜４２に落下した異物が、円筒管１２０〜１２２に落下しないように設定されている。
【００２２】
また、図３（Ｂ）に示すように、円筒管１２０〜１２２の上に屋根部材４５を付加することで、円筒管１２０〜１２２の直上から落下する異物が、円筒管１２０〜１２２に入りにくくすることも可能である。
【００２３】
図１に示すように、円筒管１２０〜１２２の下端に、ダンパー５０が接続されている。ダンパー５０は、平板を管に挿入する量を変更することによって、管の流路面積を小さくしたり、流路を遮断したりする。それぞれのダンパー５０の下端に、配管１５０〜１７０が接続されている。
【００２４】
後述する集塵機４から最も遠い位置にあるホッパー４０の配管１５０の下端に、エルボー９０が接続されている。これによってホッパー４０からの空気の流路は集塵機４の方向に変更されている。エルボー９０の下流側端部は、水平方向に配された集合管６０に接続されている。
【００２５】
集合管６０の下流側端部は、枝付きレデューサー１００に接続され、ホッパー４１の配管１６０も枝付きレデューサー１００に接続される。枝付きレデューサー１００の下流側端部は、水平方向に配された、集合管７０に接続されている。２つのホッパー４０、４１からの空気が合流した後である集合管７０は、合流前の集合管６０及び配管１６０よりも断面積が大きい。
【００２６】
集合管７０の下流側端部は、枝付きレデューサー１１０に接続され、ホッパー４２の配管１７０も枝付きレデューサー１１０に接続される。枝付きレデューサー１１０の下流側端部は、水平方向に配された、集合管８０に接続されている。合計３つのホッパー４０、４１、４２からの空気が合流した後である集合管８０は、さらに断面積が大きい。
【００２７】
集合管６０〜８０、及び配管１５０〜１７０の一部又は全部は、部分的に透明部を有するか、又は透明な材質からなる。さらに、集合管６０〜８０、及び配管１５０〜１７０は、その上流側及び下流側の部材と、フランジにて接続されている。
【００２８】
蓋材３０は、ホッパー４０、４１、４２の開口部を塞ぐ部材である。蓋材３０は、ホッパー４０、４１、４２に着脱可能に配置される。図４に示すように、長方形の板材に、板材の短手方向の中心線上に、持ち手を上にして、取手３１が２つ取り付けられている。また、板材の長手方向の両端部中央に、穴３２が２つ設けられている。
【００２９】
図２に示すように、穴３２に、フレーム１０の上面に突出しているピン３３をそれぞれ差し込み、蓋材３０を、フレーム１０の上面の所定の位置に配置する。蓋材３０をフレーム１０の上面に配置しても、穴３２を貫通したピン３３は、蓋材３０の上面よりも突出している。各ホッパー４０〜４２に対して、蓋材３０を２枚で蓋をするので、蓋材３０を６枚、フレーム１０に配置すると、全てのホッパー４０〜４２を塞ぐことになる。
なお、蓋材３０は、空気の吸引を行う場所には配置されない。
【００３０】
天板２０は、作業面として機能とすると共に粉塵を吸引する吸引口として機能する板状部材である。天板２０は、ホッパー４０、４１、４２に着脱可能に配置される。天板２０は、図４に示すように、角管を溶接した枠体２４に、長方形の板材２３を溶接して形成されている。長方形の板材２３は、図４及び図５では部分的に表示しているが、実際には全面に、開口である穴２２が形成されたパンチングメタルである。本実施例では、穴２２として、穴径３ミリメートル、穴ピッチ５ミリメートル、千鳥配列のパンチングメタルを用いている。この穴は、石綿を含む粉塵は通過するが、仕分けする廃棄物は落下しにくい穴径であり、天板２０の強度と開口面積とのバランスが良い配置である。板材２３の長手方向端部付近に、埋め込み型の取手２１が２つ配置されている。なお、枠体２４の厚みは、蓋材３０の取手３１の取付け高さよりも厚い。そのため、蓋材３０の上に天板２０を重ねて配置しても、板材２３と取手３１が干渉することは無い。
【００３１】
天板２０は、図２に示すように、蓋材３０の上に重ねるように、天板２０の下面に形成され、上面が閉じた穴（図示せず）に、蓋材３０の上面から突出しているピン３３を差し込んで、フレーム１０の上面に配される。このとき、天板２０とフレーム１０の上面との間に蓋材３０がなくとも、前述の天板２０の下面に形成された穴に、フレーム１０の上面に突出しているピン３３を差し込んで配置することができる。天板２０は、ピン３３の上面にその下面が当接して配置される。このため、蓋材３０の有無によらず、天板２０の高さは一定レベルに維持される。
【００３２】
次に、集塵機４を説明する。図１に示すように、作業台２の集合管８０と接続口２４０が、接続管３によって接続されている。集塵機４の内部には、図６に示すように、複数のフィルター２３０、ファン２５０、モータ２５１、ＨＥＰＡフィルター２６０が配置されている。集塵機４の上面に空気の排出口が設けられており、当該排出口にダンパー２００が接続されている。ダンパー２００の上端には、集塵機４から排出した空気を屋外へ送るダクト３００が接続されている。
【００３３】
集塵機４の内部に配置されたファン２５０は、モータ２５１の回転により、ファン２５０より下部にある空気を、上部へ送る。すなわち、ファン２５０より下部の気圧が低下して、開口部２４０から空気を吸入するように構成されている。ファン２５０より上部は気圧が上昇し、空気をダクト３００から屋外へ排出するように構成されている。また、集塵機４の側面の一面には、集塵機４の動作を表示及び操作する操作パネル２１０が配されている。
【００３４】
フィルター２３０は、接続口２４０から吸入した、作業台２で吸引された石綿を含む粉塵を含む空気のうち、粉塵を除いた空気を通過させる。当該粉塵は、フィルター２３０の表面に捕集され、自重により落下する。落下する粉塵は、粉塵受け２７０の中に堆積する。フィルター２３０表面への粉塵の捕集量及び粉塵受け２７０への粉塵の堆積量は、集塵機４の、図示しない点検扉２３１を開けることで確認できる。さらに、点検扉２３１を開けて、フィルター２３０を交換することが可能であり、また粉塵受け２７０を引き出すことが可能であり、粉塵受け２７０に堆積した粉塵を取り出すことが可能である。
【００３５】
集塵機４は、ＨＥＰＡフィルター２６０で、さらに細かい粉塵を除去する。フィルター２３０を通過して、粉塵の多くを除去された空気は、ファン２５０によって集塵機内部を上昇し、ＨＥＰＡフィルター２６０に到達する。そこでさらに粉塵を除去されて、ダクト３００を経由して屋外に排出されるように構成されている。
【００３６】
なお、図示してはいないが、集塵機４は、フィルター２３０及びＨＥＰＡフィルター２６０のそれぞれの前後に微差圧計を設置してフィルターの目詰まりを検知する機構を有する。また、フィルターに堆積した粉塵を振動等で落下させて、フィルターの目詰まりを解消する機構と、ＨＥＰＡフィルター２６０に対して空気を逆流させて、ＨＥＰＡフィルター２６０に堆積した粉塵を落下させる、逆洗する機構を有している。
【００３７】
次に、本実施の形態にかかる局所排気機能付き作業台装置における作業について説明する。
まず、これから行う作業に、どれだけの作業領域の面積が必要であるか見積る。作業領域の面積は、作業人数によって決定される。例えば、各ホッパー４０〜４２の両側に作業者がひとりずつ立って作業を行うとすると、作業者が４人であれば、ホッパー２つ分が作業領域の面積になる。
【００３８】
作業領域の面積がホッパー２つ分であり、残りのホッパー上では作業を行わないとすると、必要な作業領域を準備していく。例えば、図１に示すように、作業する場所がホッパー４１と４２の上であり、ホッパー４０の上では行わないとした場合、図２に示す、ホッパー４１と４２の上の蓋材３０を、合計４枚取り除く。その後、ホッパー４１と４２の上に天板２０を、合計４枚配置する。作業を行わないホッパー４０の上には、蓋材３０を２枚配置し、その上に天板２０を２枚配置する。このため、蓋材３０が配置されずに天板２０が配置された領域と、蓋材３０の上に天板２０が配置された領域が発生する。ただし、天板２０の高さは、一定である。
【００３９】
なお、蓋材３０で蓋をすることで、ホッパー４０から吸入する空気の量は減少し、ホッパー４０の下に配置されたダンパー５０を閉じることで、ホッパー４０からの空気の吸入を確実に遮断できる。さらに、ホッパー４１と４２のそれぞれの下に配置されたダンパー５０は、適切な吸引力を得るために開く。以上で作業領域の準備が終了する。なお、蓋材３０を配置した領域のダンパー５０を一部開いた状態とし、わずかに吸引を続けるようにしてもよい。
【００４０】
作業領域の準備が終了したら、粉塵の発生を伴う作業を、作業領域で行う。例えば、石綿を含む廃棄物を、作業領域で、仕分け作業を行う。仕分け作業中は、常に集塵機４のファン２５０を回転させて、作業台２の、準備した作業領域の穴２２から空気を吸い込む。吸い込む空気の量は、作業室内の空気を１時間に４回換気する量である。例えば、作業室が幅５メートル、奥行き１０メートル、高さ４メートルであれば、５（ｍ）×１０（ｍ）×４（ｍ）×４（回／時間）＝８００（立方メートル／時間）である。
【００４１】
作業台２の穴２２から吸い込まれた空気は、石綿を含む粉塵とともに、それぞれの集合管を経由して、集合管８０に集められる。廃棄物には様々なものが含まれているため、穴２２の上で廃棄物の仕分け作業を行うと、例えば直径３ミリメートルよりも細い針金形状のような異物が、穴２２を通過する。当該異物が、集合管を経由して、フィルター２３０に到達してしまうと、フィルター２３０を破損するおそれがあり、またそのような異物が多数集合管や集合管の内部に存在すると、吸気能力が低下してしまう。
【００４２】
図３に示したように、ホッパー４０〜４２に落下した異物が、円筒管１２０〜１２２に混入しないような対策はとられているが、それでも異物が集合管や集合管の内部に混入した場合は、透明な集合管部分で、作業員が異物の混入を認識できるので、透明な集合管の前後のフランジ部分を取り外して、内部に混入した異物を取り除くことができる。
【００４３】
集塵機４に吸い込まれた、粉塵を含む空気は、４つ配置されたフィルター２３０で、粉塵が捕集される。フィルター２３０の前後を微差圧計で測定して、フィルター２３０の目詰まりであると判定した場合、自動的に圧縮空気をフィルター２３０に吹き付けて、フィルター２３０に堆積した粉塵を落下させる。落下した粉塵は、フィルター２３０の下に配置された粉塵受け２７０に積もる。作業者は定期的に集塵機４の点検扉２３１を開けて、フィルター２３０と粉塵受け２７０の状態を確認する。
【００４４】
フィルター２３０で濾過された空気は、ファン２５０によって、集塵機４の上部へ移動する。そこでさらにＨＥＰＡフィルターによって濾過される。濾過された空気は屋外へ続くダクト３００を経由して、屋外に排出される。なお、集塵機４を稼働しない時は、屋外から空気が逆流することを防止するために、ダンパー２００を閉じておく。
【００４５】
ここまで、作業員４人がホッパー２つ分で作業する場合を説明してきたが、作業員の配置が異なる場合、例えば３人の作業員が、作業台２に対して同じ側に並んで配置される場合は、作業場所の準備は以下のようになる。
全てのホッパー４０〜４２の上の、作業員が作業する側の蓋材３０を３枚取り除き、作業員が作業しない側の蓋材３０を３枚配置する。そして全ての天板２０を６枚設置するようにしてもよい。
【００４６】
以上説明したように、本実施の形態によれば、作業に必要な作業面の面積に応じて、蓋材３０の装着・除去を行うことにより、作業面から空気を吸入する領域及び吸引しない（吸引力が弱い場合を含む）領域の面積を変更できる。このため、作業をする場所を適切な吸引力で局所排気し、作業を行わない場所からは実質的に吸引しない、即ち、実質的に作業領域のみから吸引を行う、局所排気機能付き作業台装置１が得られる。
【００４７】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【００４８】
例えば、作業台のフレームは、他の部材を支えることができれば、その構造は任意である。例えば、枠体部が直列ではなく、並列に連結される構造としてもよい。また、天板２０、蓋材３０、ホッパー４０を支持する構造も任意である。例えば、天板２０を支えるピン３３の数量を増加しても良いし、作業台のフレームに他の天板支持部を設けても良い。また、蓋材３０の有無によって、天板２０の高さに段差が生じても良い。
【００４９】
実施の形態では、１枚の天板２０に１枚の蓋材３０を配置し、２枚の天板２０に１つのフレーム１０とホッパー４０を配置し、これらを３組配置したが、これらの数値は任意に変更可能である。例えば、天板２０の数を５以下或いは７以上としてもよい。１枚の天板２０を複数枚の蓋材３０で塞ぐように構成してもよい。１枚の天板２０毎に１つのホッパー４０を配置するように構成してもよい。また、１枚の天板２０に対して複数のホッパー４０を配置してもよい。いずれの場合も、必要な作業面のサイズに応じて、空気を吸入する領域及び吸引しない（吸引力が極めて弱い場合を含む）領域の面積を変更でき、作業をする場所を適切な吸引力で局所排気し、作業を行わない場所からは実質的に吸引しない局所排気機能付き作業台装置が得られる。
【００５０】
天板２０に形成する開口２２の径は、石綿の処理には、直径１〜５ミリメートルの円形が最適であるが、他のサイズ及び形状で採用可能である。
【００５１】
上記実施の形態では、管として、断面が円形の円管を例示したが、管の断面は、楕円、多角形など任意である。また、ホッパー４０の開口部の形状も完全な四角形に限定されない。
【００５２】
また例えば、図７に示すように、蓋材を、蓋材５３０のような巻き取り構造としたり、蓋材５３１のような蛇腹構造としたり、又は蓋材５３２のような収納する雨戸のような構造とすることで、蓋材を脱着しなくても、蓋材を移動させて、空気を吸引する領域を変更させてもよい。
【００５３】
また例えば、作業を行わない天板の上に蓋材を敷設して、空気を吸入する開口を塞いで、空気を吸引する領域を変更させてもよい。
【符号の説明】
【００５４】
１ 作業台装置
２ 作業台
３ 接続管
４ 集塵機
１０ フレーム
２０ 天板
３０ 蓋材
４０、４１、４２ ホッパー
５０ ダンパー
６０、７０、８０、 集合管
９０ エルボー
１００、１１０ 枝付きレデューサー
２００ ダンパー
２３０ フィルター
２３１ 点検扉
２４０ 接続口
２５０ ファン
２６０ ＨＥＰＡフィルター
３００ ダクト
【図１】
0003218939.tif 000003
【図２】
0003218939.tif 000004
【図３】
0003218939.tif 000005
【図４】
0003218939.tif 000006
【図５】
0003218939.tif 000007
【図６】
0003218939.tif 000008
【図７】
0003218939.tif 000009